(57)【要約】【課題】リテーナの不完全な装着を確実に検知する。【解決手段】雄ハウジング７０には、雌ハウジング２０を嵌合可能なフード部７１が設けられ、その前端部内周縁には、雌ハウジング２０を誘い込むための誘い込み面７７が周設される。リテーナ４０は、雌ハウジング２０に本係止位置に装着されると雌端子金具に係止する抜け止め部を備え、且つ本係止位置に達する手前の不完全な装着位置に装着された場合にフード部７１に干渉可能な干渉可能部４９を備える。干渉可能部４９には、本係止位置のときにフード部７１内への進入を案内可能な案内面５０が形成されている。干渉可能部４９には、案内面５０の一部に置換して突き当て面５７が設けられている。フード部７１の前端部内周縁における突き当て面５７に対応する位置には、突き当て面５７に面当たりする受け面７９が誘い込み面７７の一部に置換して設けられ、且つ受け面７９は、誘い込み面７７より奥側に引っ込んでいる。【選択図】  図１８
2005005127.tif 000002
【特許請求の範囲】
【請求項１】
一対のコネクタハウジングのうち、一方のコネクタハウジングには、他方のコネクタハウジングを嵌合可能なフード部が設けられるのに対し、他方のコネクタハウジングには、内部に収容される端子金具を抜け止めするためのリテーナが装着可能とされ、
このリテーナは、他方のコネクタハウジングに対して完全な装着位置に装着されると前記端子金具に係止される抜け止め部を備える一方、前記完全な装着位置に達する手前の不完全な装着位置に装着された場合には、前記フード部に対して干渉可能な干渉可能部を備え、且つこの干渉可能部には、リテーナが前記完全な装着位置だった場合にフード部内への進入動作を案内するための案内面が形成され、
フード部の先端部内周縁には、前記他方のコネクタハウジングを誘い込むための誘い込み面が周設されており、
前記干渉可能部には、突き当て面が前記案内面の一部に置換して設けられるのに対し、前記フード部の先端部内周縁における前記突き当て面に対応する位置には、突き当て面に対して面当たり可能な受け面が前記誘い込み面の一部に置換して設けられ、且つこの受け面は、誘い込み面よりも奥側に引っ込んだ位置に設けられていることを特徴とするコネクタ。
【請求項２】
前記受け面は、前記突き当て面よりも幅寸法が大きくなるように形成されていることを特徴とする請求項１記載のコネクタ。
【発明の詳細な説明】
【０００１】
【発明の属する技術分野】
本発明は、リテーナを備えたコネクタに関する。
【０００２】
【従来の技術】
従来、リテーナを備えたコネクタの一例として下記特許文献１に記載されたものが知られている。このものは、雄雌一対のハウジングのうち、雄ハウジングには、相手の雌ハウジングを内嵌可能なフード部が設けられるのに対し、雌ハウジングには、内部に収容される雌端子金具を抜け止めするためのリテーナが装着されており、このリテーナは、雌端子金具の挿抜を許容する仮係止位置と、雌端子金具に抜け止め部が係止する本係止位置との間を移動可能とされている。両ハウジングを嵌合するとき、雌ハウジングに装着したリテーナが本係止位置に達しておらず、不完全な装着位置にあった場合には、リテーナの外端部が雌ハウジングから外側に突出しているので、その突出部分がフード部の先端部に突き当たることで、嵌合動作が規制されるようになっており、これをもってリテーナが不完全な装着位置にあることが検知される。
【０００３】
【特許文献１】
特開平８−１３８７８３号公報
【０００４】
【発明が解決しようとする課題】
ところで、通常、フード部の先端部内周縁には、雌ハウジングを誘い込むためのテーパ状の誘い込み面が形成され、またリテーナの外端部前縁には、リテーナが本係止位置のときにフード部内への進入を案内すべく弧状の案内面が形成されている。このため、リテーナが不完全な装着位置だった場合においても、誘い込み面と案内面によってリテーナがフード部内へ誘い込まれ、両ハウジングの嵌合が許容されるおそれがあった。その結果、リテーナが不完全な装着位置にある事態が看過される可能性があった。
本発明は上記のような事情に基づいて完成されたものであって、リテーナの不完全な装着を確実に検知することを目的とする。
【０００５】
【課題を解決するための手段】
上記の目的を達成するための手段として、請求項１の発明は、一対のコネクタハウジングのうち、一方のコネクタハウジングには、他方のコネクタハウジングを嵌合可能なフード部が設けられるのに対し、他方のコネクタハウジングには、内部に収容される端子金具を抜け止めするためのリテーナが装着可能とされ、このリテーナは、他方のコネクタハウジングに対して完全な装着位置に装着されると前記端子金具に係止される抜け止め部を備える一方、前記完全な装着位置に達する手前の不完全な装着位置に装着された場合には、前記フード部に対して干渉可能な干渉可能部を備え、且つこの干渉可能部には、リテーナが前記完全な装着位置だった場合にフード部内への進入動作を案内するための案内面が形成され、フード部の先端部内周縁には、前記他方のコネクタハウジングを誘い込むための誘い込み面が周設されており、前記干渉可能部には、突き当て面が前記案内面の一部に置換して設けられるのに対し、前記フード部の先端部内周縁における前記突き当て面に対応する位置には、突き当て面に対して面当たり可能な受け面が前記誘い込み面の一部に置換して設けられ、且つこの受け面は、誘い込み面よりも奥側に引っ込んだ位置に設けられている構成としたところに特徴を有する。
請求項２の発明は、請求項１に記載のものにおいて、前記受け面は、前記突き当て面よりも幅寸法が大きくなるように形成されているところに特徴を有する。
【０００６】
【発明の作用及び効果】
＜請求項１の発明＞
リテーナを他方のコネクタハウジングに対して完全な装着位置に装着した状態で、両コネクタハウジングを嵌合すると、誘い込み面によって他方のコネクタハウジングがフード部内に誘い込まれるとともに、干渉可能部が案内面によって円滑にフード部内に進入される。
一方、リテーナが他方のコネクタハウジングに対して不完全な装着位置に装着された状態で嵌合作業を行った場合には、嵌合過程において干渉可能部がフード部に対して干渉する。このとき、干渉可能部側の突き当て面がフード部側の受け面に対して面当たりすることで大きな抵抗力が生じるようになっているから、両コネクタハウジングの嵌合動作を確実に規制することができ、もってリテーナが不完全な装着位置にあることを確実に検知することができる。
しかも、受け面が誘い込み面よりも奥側に引っ込んで形成されているから、リテーナが完全な装着位置であった場合における誘い込み面による案内機能を損なうことがなく、嵌合作業性を良好に保つことができる。
【０００７】
＜請求項２の発明＞
両コネクタハウジングを嵌合する際に、他方のコネクタハウジングが一方のコネクタハウジングに対してその嵌合面を幅方向について傾けていた場合には、受け面に対して突き当て面が幅方向に位置ずれするおそれがある。ところが、本発明によれば、受け面の方が突き当て面よりも幅寸法が大きくなっているから、突き当て面が受け面に確実に突き当たるようになっており、もってリテーナが不完全な装着位置にあることをより確実に検知することができる。
【０００８】
【発明の実施の形態】
本発明の一実施形態を図１ないし図１８によって説明する。この実施形態に示すコネクタは、互いに嵌合可能な雌コネクタハウジング２０（以下、単に雌ハウジング２０という）と、雄コネクタハウジング７０（以下、単に雄ハウジング７０という）とを備え、両ハウジング２０，７０には、それぞれ内部に雌雄の端子金具１０，６０が収容されるとともに、それぞれリテーナ４０，７５によって抜け止め可能とされている。なお、以下では、両ハウジング２０，７０における嵌合面側を前方とし、また上下方向の記載は、図３を除く各図を基準として説明する。
【０００９】
先に雌側のコネクタについて説明する。雌端子金具１０は、所定の展開形状に打ち抜いた金属板に曲げ加工などを施すことにより形成されており、図１０に示すように、相手の雄端子金具と導通接続可能な略角筒状をなす本体部１１と、電線Ｗの端末に圧着接続されるバレル部１２とを前後に繋げた構成とされている。バレル部１２は、前後に一対ずつのかしめ片を対向状に備えており、このうち前側の両かしめ片が電線Ｗの芯線にかしめ付けられるのに対し、後側の両かしめ片が電線Ｗの被覆にかしめ付けられる。
【００１０】
本体部１１の下面（ランス２４と対向する外面）の長さ方向略中央には、ランス２４の進入を許容する凹部１３が形成されるとともにその前縁にランス２４の上部が係止されるようになっている。この凹部１３の前縁には、ランス２４の下部が係止される係止突部１４が下方へ突出するよう叩き出して形成されている。本体部１１の下面の後端部に形成された段差部分は、リテーナ４０が係止される係止段部１５とされている。この係止段部１５には、上記係止突部１４とほぼ同じ高さまで突出するとともにリテーナ４０が係止可能な突部１６が叩き出して形成されている。この突部１６の直前位置には、突部１６よりもさらに下方へ突出するスタビライザ１７が形成され、このスタビライザ１７は、雌端子金具１０の挿入動作の安定化や逆挿入防止などに機能する。
【００１１】
次に、雌ハウジング２０について説明する。雌ハウジング２０は、合成樹脂製とされ、図２及び図１０に示すように、全体が略ブロック状に形成されるとともに、その上面には、雄ハウジング７０に設けられたロック部７６と弾性的に係止することで、両ハウジング２０，７０を嵌合状態にロック可能なロックアーム２１が突設されている。この雌ハウジング２０には、後方から雌端子金具１０が挿入可能なキャビティ２２が設けられ、このキャビティ２２は、雌ハウジング２０を前後方向に沿って貫通して形成されるとともに、上下２段、幅方向に複数室ずつ整列して配設されている。
【００１２】
各キャビティ２２の周壁のうち下壁２３の前部には、雌端子金具１０に対して弾性的に係止可能なランス２４が設けられている。ランス２４は、前方へ片持ち状に延出して形成されるとともに、上下（雌端子金具１０の挿抜方向と交差する方向）に撓み変形可能とされている。またキャビティ２２の下壁２３のうち幅方向略中央には、係止突部１４及び突部１６を挿通可能な突部挿通溝２５が全長にわたって凹み形成され、図２の右側縁（片方のコーナ部）には、スタビライザ１７を挿通可能なスタビライザ挿通溝２６が凹み形成されている。突部挿通溝２５は、上記したランス２４の全長にわたって形成され、これにより雌端子金具１０の挿入時におけるランス２４の撓み量が少なくなっている。またスタビライザ挿通溝２６は、ランス２４の基端部の少し後方位置まで達し、後方へのみ開放している。なお上段側では、突部挿通溝２５よりもスタビライザ挿通溝２６の方が深く形成されるのに対し、下段側では、突部挿通溝２５がスタビライザ挿通溝２６とほぼ同じ深さに設定されている。
【００１３】
雌ハウジング２０におけるロックアーム２１が設けられているのと反対側の面には、リテーナ４０を装着するためのリテーナ装着孔２７が開設されている。リテーナ装着孔２７は、雌ハウジング２０における下面（リテーナ４０の押し込み方向に対面する面）及び両側面（リテーナ４０の押し込み方向に沿った面）にかけて三面領域にわたって形成され、したがってリテーナ装着孔２７は三方へ開口した形態となっている。このリテーナ装着孔２７は、全てのキャビティ２２を外部に開口するよう形成されており、上段のキャビティ２２における側壁（幅方向のキャビティ２２の仕切り壁）を半分程度切り欠くような深さ（挿入される雌端子金具１０が側方外部に露出しない程度の深さ）に形成されている。このリテーナ装着孔２７によって上段のキャビティ２２の下壁２３（下段のキャビティ２２の上壁、別言すると上下のキャビティ２２の仕切り壁）、下段のキャビティ２２の両側壁及び下壁２３（雌ハウジング２０の外壁）が前後に分断されている。このリテーナ装着孔２７の前側の孔縁は、上下方向に沿ってほぼ真っ直ぐに切り立つようにして形成されているが、後側の孔縁は、後方へ向かって下り勾配をなす傾斜をもって形成され、その傾斜角度は雌端子金具１０の挿入方向に対して約３５度に（４５度よりも小さく）設定されている。また装着されるリテーナ４０は、リテーナ装着孔２７の後縁の傾斜に沿って移動可能とされる。
【００１４】
雌ハウジング２０における両側面において、リテーナ装着孔２７の側面開口部の上方及び後方にかけての領域は、図１及び図７に示すように、段差面２８となっており、前方の領域よりも一段凹ませてある。この段差面２８において、リテーナ装着孔２７の側面開口部のうち傾斜側にはその傾斜に沿ったリブ状の係止突起２９が設けられている。この係止突起２９の主たる役割としては、リテーナ４０を雌ハウジング２０に対し押し込んで装着する際に、押し込み姿勢を安定させるところにある。また、係止突起２９の外面は、その長さ方向の中心線を境にして片側（下側、リテーナ装着孔２７寄りの側）は、全面に面取り２９ａが施されており、リテーナ４０の誘導溝５１に対する嵌め入れ動作を円滑に行うことができるようにしている。さらに、係止突起２９の上下両端面はそれぞれ水平面が形成され、かつ上側の端面は水平面に連続する鉛直面も形成されている。
【００１５】
また係止突起２９の下方の延長線上には、押し込み規制突起３０が突出形成されている。この押し込み規制突起３０は、係止突起２９から所定距離離間して配されており、リテーナ４０が仮係止位置（図１０ないし図１２に示す位置）にあるとき、リテーナ４０の誘導溝５１の下端に係止することで、所定以上の操作力が付与されない限りはリテーナ４０が誤って本係止位置まで押し込まれないよう押し込み規制を行うものである。また押し込み規制突起３０は、リテーナ４０が本係止位置に移動すると、リテーナ４０の後縁に対して係止可能とされる。
【００１６】
段差面２８において上記した係止突起２９の上方には、リテーナ４０が本係止位置（図１３及び図１４に示す位置）にあるときのがたつきを抑えるためのがたつき規制部３１が突設されている。がたつき規制部３１は、前後方向に沿ってほぼ水平に延出する形態となっている。一方、がたつき規制部３１の下面側には、全長にわたって上方へ向かって上り勾配をなすテーパ面３１ａが形成されている。また、がたつき規制部３１の前方には、引掛け片３２が突出形成されている。引掛け片３２は、その上縁ががたつき規制部３１の上縁と連続するよう形成され、リテーナ４０が本係止位置となったときにリテーナ４０の係止爪５４と係止してリテーナ４０を本係止位置に保持できるようになっている。但し、引掛け片３２の下面側には、上方へ向かって上り勾配をなすテーパ面３２ａが形成され、係止爪５４の乗り上げ動作が円滑になされるようになっている。またリテーナ装着孔２７における後側の孔縁のうち、幅方向両端の下端部には、リテーナ４０のロック部４８が係止することでリテーナ４０が本係止位置から後方へ変位するのを規制した状態に保持可能なロック凹部３３が設けられている。ロック凹部３３のうちロック部４８が係止する後面は、上下方向に沿って真っ直ぐに切り立った面とされている。
【００１７】
続いて、リテーナ４０について説明する。リテーナ４０は、雌ハウジング２０と同様に合成樹脂材にて形成され、図４ないし図６に示すように、リテーナ装着孔２７へ適合して嵌合されるリテーナ本体部４１と、このリテーナ本体部４１の幅方向両端部に張り出して形成された一対の側板４２とから構成されている。このリテーナ４０は、後述する仮係止位置と本係止位置との間を雌端子金具１０の挿抜方向に対して斜めに移動可能とされる。なお、リテーナ４０の後部には、ほぼ全周にわたって厚肉となった操作部４３が設けられている。
【００１８】
リテーナ本体部４１は、雌ハウジング２０の各段におけるキャビティ２２と同数個の窓枠４４が前後に開口して形成されている。各窓枠４４は、下段側の各キャビティ２２と整合（連通）可能に形成されている。各窓枠４４の前面側の開口縁は、リテーナ装着孔２７の前側の孔縁と適合するように、上下方向に沿って真っ直ぐに（鉛直に）切り立って形成されているが、各窓枠４４の後面側の開口縁は、リテーナ装着孔２７の後側の孔縁と適合するような傾斜をもって形成されている。そして、各窓枠４４の下部の前半部分及びリテーナ本体部４１の上部は、リテーナ４０が仮係止位置にあるときはキャビティ２２の下壁２３に概ね整合するとともにキャビティ２２から退避して配されることで雌端子金具１０の挿抜を許容しているものの（図１０）、リテーナ４０が本係止位置にあるときにはキャビティ２２内に進入するとともに雌端子金具１０の係止段部１５や突部１６に対して正規深さに係止可能とされ（図１３）、ここが雌端子金具１０に対する抜け止め部４５を構成している。なお、この本係止位置が特許請求の範囲に記載した完全な装着位置に相当している。抜け止め部４５には、リテーナ４０が仮係止位置に装着されたときに各キャビティ２２のスタビライザ挿通溝２６に連通可能なスタビライザ通過溝４６が形成されている。なお、抜け止め部４５の後部側には、雌端子金具１０の突出部位（バレル部１２など）や電線Ｗなどを逃がすための逃がし凹部４７が適宜形成されている。また幅方向両端位置に配された一対の窓枠４４における後面下端部には、リテーナ４０が本係止位置に達したときにロック凹部３４に係止する断面略三角形状のロック部４８が一対、上方へ突出して設けられている。
【００１９】
ところで、リテーナ４０が雌ハウジング２０に対して本係止位置に装着されると、リテーナ４０の前部（操作部４３が設けられていない部分）における下面４０ａが、雌ハウジング２０の下面２０ａとほぼ面一状に配される。従って、リテーナ４０が本係止位置に達する手前の不完全な装着位置（仮係止位置を含む）に装着された場合には、リテーナ４０の前部における下端部が雌ハウジング２０の下面２０ａよりも下方へ突出して配されることになる（図１７）。このリテーナ４０の前部における下端部は、その全幅領域が、リテーナ４０が不完全な装着位置に装着されたまま両ハウジング２０，７０を嵌合しようとしたときに、雄ハウジング７０に対して干渉可能な干渉可能部４９となっている。この干渉可能部４９における下端前縁には、略弧状の曲面形状をなす案内面５０が一部を除いてほぼ全幅領域にわたって形成されている。これにより、リテーナ４０が本係止位置に装着されていた場合には、干渉可能部４９が雄ハウジング７０の内面に引っ掛かることなく、円滑に内部に進入できるよう案内可能とされる。
【００２０】
リテーナ４０の両側板４２は、雌ハウジング２０の両側面間を跨いで挟み込むことができる間隔をもって配され、且つ拡開変形可能である。また両側板４２は、リテーナ４０が本係止位置になったときにはリテーナ装着孔２７の側面開口部を塞ぐとともに、段差面２９の所定範囲と対面可能な大きさに形成されている。さらに両側板４２は、段差面２９の深さとほぼ同じ厚みをもって形成され、リテーナ４０が本係止位置にあるときには、雌ハウジング２０の外側面とほぼ面一をなす。かくして、リテーナ４０の両側板４２は、雌ハウジング２０における側面部の外壁を兼ねることとなる。
【００２１】
両側板４２のうちリテーナ本体部４１の後側位置には、誘導溝５１が貫通して形成されている。誘導溝５１は、リテーナ４０における各窓枠４４の後縁の傾斜に沿った勾配、つまりリテーナ装着孔２７の後側の孔縁の傾斜（リテーナ４０の移動方向）とほぼ同一勾配をもって形成されている。また誘導溝５１は、係止突起２９の短尺側の幅寸法とほぼ同じ溝幅をもって形成され、その両端部は、係止突起２９の両端部の形状に適合するように形成されている。さらに誘導溝５１は、その前後両端に係止突起２９及び押し込み規制突起３０を共に係止可能であり、このようにすることでリテーナ４０を仮係止位置に保持している（図１１）。また、リテーナ４０を仮係止位置から本係止位置へ移動させる際には、押し込み規制突起３０を誘導溝５１から退出させるべくここを乗り上げてゆくことになり、この間に両側板４２は拡開変形するが、押し込み規制突起３０に比較して係止突起２９は突出量が大きく、側板４２の拡開変形によっても誘導溝５１との係止状態が継続するように十分な高さの係止代が設定されている。かくして、係止突起２９が誘導溝５１の下端側に移動することによってリテーナ４０は本係止状態となる（図１４）。また両側板４２のうち誘導溝５１の下方位置には、誘導溝５１とほぼ同じ傾斜をもった肉抜き部５２が貫通して形成されている。この肉抜き部５２は、誘導溝５１よりも溝幅が小さく設定されており、両側板４２の剛性を適切に低減することで両側板４２が拡開変形し易くなっている。
【００２２】
また、両側板４２の内面において誘導溝５１の上方には、前記したがたつき規制部３１を嵌め入れ可能な規制凹部５３が凹み形成され、その上下両縁にはテーパ面５３ａが形成されている。規制凹部５３は、長さ方向に関しては両側板４２のほぼ中央部から後端に至るまでの範囲にわたって形成され、後方へ開放している。規制凹部５３は、高さ方向に関しては上方へ開放するとともに、その下縁が誘導溝５１の上縁の形状に沿って形成されており、詳しくは前部が前後方向に沿ってほぼ水平に形成されるのに対し、後部が後方へ向かって下り勾配をなす傾斜状に形成されている。そして、リテーナ４０が仮係止位置にあるときには、がたつき規制部３１の上縁が規制凹部５３の上縁とほぼ揃う高さ位置に保持され、規制凹部５３の下縁とは所定の隙間が保有されるようになっている（図１１）。また、リテーナ４０が本係止位置にあるときには、がたつき規制部３１の下縁のテーパ面３１ａが規制凹部５３の下縁に形成されたテーパ面５３ａと適合して当たり合い、上方へのがたつきを規制できるようになっている（図１４）。
【００２３】
さらに規制凹部５３は、さらに前方へ延長されてその凹み領域が拡大されているが、上縁部については係止爪５４が形成されるようにしている。この係止爪５４は、リテーナ４０が仮係止位置にあるときには雌ハウジング２０側の引掛け片３２とほぼ同じ高さ位置をもって対面する関係にあるが、リテーナ４０が本係止状態へ移行したときには、引掛け片３２のテーパ面３２ａを乗り越えて引掛け片３２の上縁に係止し、もってリテーナ４０を本係止位置で保持できるようになっている。
【００２４】
なお、リテーナ４０が仮係止位置にあるときには、リテーナ４０の前縁とリテーナ装着孔２７の前側の孔縁との間に所定の隙間５５が保有され、雌ハウジング２０の外部からこの隙間５５を通して雌端子金具１０の挿通状態（挿通の有無など）を確認することができる。
【００２５】
次に、雄側のコネクタについて説明する。雄端子金具６０は、所定の展開形状に打ち抜いた金属板に曲げ加工などを施すことにより形成されており、図１５に示すように、雌端子金具１０の本体部１１内に差し込まれて導通接続可能とされるタブ部６１と、略箱型をなす本体部６２とを前後に備えている。本体部６２の下面には、雌端子金具１０と同様にランスが係止可能な凹部６３及び係止突部６４が設けられている。なお図示は省略するが、本体部６２には、雌端子金具１０と同様にリテーナ７５が係止可能な係止段部及び突部が設けられるとともにスタビライザが設けられ、また本体部６２の後側には、雌端子金具１０と同様のバレル部が連結されている。
【００２６】
雄ハウジング７０は、合成樹脂製とされ、図８及び図１５に示すように、前方から雌ハウジング２０を嵌合可能なフード部７１と、雄端子金具６０を収容可能な端子収容部７２とを前後に繋げた構成とされている。端子収容部７２は、幅方向に長い略ブロック状に形成されるとともに、その内部には、後方から雄端子金具６０を挿入可能なキャビティ７３が、雌ハウジング２０側のキャビティ２２に対応する位置に上下２段、複数室配設されている。各キャビティ７３の下面側には、雄端子金具６０に弾性的に係止可能なランス７４が設けられている。また端子収容部７２には、雌ハウジング２０側と同様に雄端子金具６０を抜け止めするためのリテーナ７５が下方から装着可能とされている。なおこのリテーナ７５は、雌側のリテーナ４０と同様に仮係止位置と本係止位置との間を斜めに移動可能とされるが、詳しい構造は記述した通りであるため、その説明は省略する。
【００２７】
フード部７１は、前方へ開口するとともに雌ハウジング２０に適合するような横長の略角筒状に形成されている。フード部７１の内周面の上面幅方向略中央には、雌ハウジング２０のロックアーム２１が係止されることで両ハウジング２０，７０を嵌合状態に保持可能なロック部７６が下方へ突出して設けられている。フード部７１の前端部（先端部）内周縁には、嵌合される雌ハウジング２０及びそのリテーナ４０を誘い込むための誘い込み面７７が一部を除いてほぼ全周にわたって形成されている。誘い込み面７７は、前方へ行くに従って次第にフード部７１の内径寸法を増加させるようなテーパ状に形成され、雌ハウジング２０の嵌合方向に対する傾斜角が鋭角となっている。この誘い込み面７７は、フード部７１の厚み寸法の約１／３程度の範囲に形成されている。またフード部７１によって雄端子金具６０のタブ部６１の周りが取り囲まれるようになっている。
【００２８】
さて、上記したように誘い込み面７７が形成されたフード部７１の前端部内周縁のうち、雌ハウジング２０側のリテーナ４０の干渉可能部４９が干渉可能とされる下側部分には、図８及び図９（Ａ）に示すように、凹部７８が誘い込み面７７よりも後方へ引っ込むようにして設けられている。凹部７８は、フード部７１における幅方向両端よりもやや内側の２箇所と、幅方向略中央の１箇所に、合計３つ設けられている。各凹部７８は、その底面が誘い込み面７７の前端と高さを揃えてほぼ水平に形成されるのに対し、前面は、その上端が誘い込み面７７の後端と揃えられるとともに下端が上端よりも僅かに後方へ引っ込んだ逆テーパ状（オーバーハング状）の傾斜面として形成されており、ここが受け面７９とされている。この受け面７９は、雌ハウジング２０の嵌合方向に対して鈍角をなすよう僅かに傾斜しており、誘い込み面７７よりも後方（奥側）へ引っ込んだ位置に配設されている。また凹部７８及び受け面７９の高さ寸法は、誘い込み面７７の高さ寸法と同じに設定され、フード部７１の厚み寸法の約１／３程度の深さに設定されている。これら各凹部７８及び各受け面７９は、フード部７１に周設された誘い込み面７７の一部に置換して形成されていると言える。
【００２９】
これに対し、雌側のリテーナ４０のうち案内面５０が形成された干渉可能部４９の前端下縁における各凹部７８に対応する位置、すなわち嵌合時に各凹部７８に対して対面可能とされる位置には、図６及び図９（Ｂ）に示すように、案内面５０よりも外側へ張り出す張出部５６が３つ設けられている。各張出部５６は、角張った形状に形成されており、その前面と下面は、リテーナ本体部４１の前面と下面４０ａに沿って真っ直ぐな面となっている。つまり張出部５６の前面は、上下方向に沿って真っ直ぐに切り立った面（嵌合方向に対して直交する面）とされ、ここが突き当て面５７とされている。突き当て面５７は、その上端が案内面５０の上端と前後位置が揃えられるものの、案内面５０が下端側ほど後方へ引っ込むのに対して、突き当て面５７は前後位置が変化しない。従って、突き当て面５７は、案内面５０よりも前方へ突き出た位置に配置されている、またこれら各張出部５６及び各突き当て面５７は、干渉可能部４９において案内面５０の一部に置換して形成されていると言える。
【００３０】
そして、リテーナ４０が雌ハウジング２０に対して本係止位置に達する手前の不完全な装着位置とされた状態では、両ハウジング２０，７０を嵌合しようとすると、干渉可能部４９のうち各張出部５６が対応する各凹部７８内に進入されるとともに、各突き当て面５７が各受け面７９に対して突き当たるようになっている。なお受け面７９は、既述したように上下方向に対して傾斜しているものの、その傾斜角が僅かであるため、突き当て面５７が全体的に面当たりできるようになっている。また凹部７８及び受け面７９は、張出部５６及び突き当て面５７よりも幅寸法が大きくなる設定とされているから、仮に張出部５６が凹部７８に対して幅方向に多少位置ずれしていた場合であっても、確実に張出部５６が凹部７８内に進入するとともに突き当て面５７が受け面７９に対して突き当たるように設定されている。
【００３１】
本実施形態は以上のような構造であり、続いてその作用について説明する。まず雌側のコネクタの組付作業を説明する。図１０に示すように、リテーナ４０を雌ハウジング２０に対して仮係止位置に装着した状態で各キャビティ２２内に雌端子金具１０を挿入すると、係止突部１４及び突部１６が突部挿通溝２５へ、スタビライザ１７がスタビライザ挿通溝２６及びスタビライザ通過溝４６へ、それぞれ前側から順に挿通されることで雌端子金具１０の挿入動作が円滑に案内される。雌端子金具１０が所定深さまで挿入されると、係止突部１４によってランス２４が押圧されて下方へ一旦撓み変形される。そして、雌端子金具１０が正規深さに達すると、図１２に示すように、係止突部１４がランス２４を乗り越えるとともに、ランス２４は、弾性復帰して凹部１３内に進入してその前縁及び係止突部１４の後端面に対して係止される。
【００３２】
全ての雌端子金具１０を挿入し終えたら、リテーナ４０を仮係止位置（図１１）から本係止位置（図１４）へ移動させる作業を行う。リテーナ４０を斜め上前方へ向けて押し込むと、誘導溝５１の下端部周辺が押し込み規制突起３０を乗り上げるべく変形して誘導溝５１から退出する。移動過程では、リテーナ４０は係止突起２９と誘導溝５１との嵌め合いによる案内作用を受けて円滑に斜め上方へと押し込まれる。そして、リテーナ４０が本係止位置に至ると、図１３に示すように、各抜け止め部４５が各キャビティ２２内に正規深さまで進入して、対応する雌端子金具１０の係止段部１５及び突部１６の後端面に対して正規に係止することで、雌端子金具１０が二重に抜け止めされる。このリテーナ４０を本係止位置に装着した状態では、雌ハウジング２０とリテーナ４０の下面２０ａ，４０ａ同士がほぼ面一をなし、干渉可能部４９（張出部５６を含む）がリテーナ装着孔２７内に完全に収容されている。
【００３３】
この本係止位置では、図１４に示すように、係止突起２９が誘導溝５１の下端に係止するとともに、押し込み規制突起３０が側板４２の後縁に係止するのに加えて、係止爪５４が引掛け片３２のテーパ面３２ａを乗り越えて引掛け片３２の上縁に係止し、さらにはロック部４８がロック凹部３３内に進入してその後面がロック凹部３３の前面に係止するから、リテーナ４０が本係止位置にしっかりと保持される。さらに、がたつき規制部３１の下縁が規制凹部５３の下縁に係止することで、リテーナ４０の上方へのがたつきも併せて規制される。なお本係止位置では、リテーナ装着孔２７の前側の孔縁にリテーナ本体部４１の前縁がほぼ当たり合い、両者間がほぼ隙間無く閉止されるので、ごみ等がキャビティ２２内に侵入するのを防止することができる。
【００３４】
上記のようにして雌側のコネクタを組み付ける一方で、雄側のコネクタの組み付けを雌側とほぼ同様の手順で行った後、両ハウジング２０，７０の嵌合作業を行う。図１５に示すように、雄ハウジング７０の前方に対面させた雌ハウジング２０をフード部７１内に嵌合する。嵌合過程では、先に雌ハウジング２０の前端周縁部が誘い込み面７７によってフード部７１内へと誘い込まれ、半分程度嵌合したところで、誘い込み面７７とリテーナ４０の案内面５０とによって干渉可能部４９が引っ掛かりなくフード部７１内に案内されることで、嵌合動作が円滑なものとなっている。そして、両ハウジング２０，７０が所定深さまで嵌合されると、ロックアーム２１が一旦ロック部７６によって押し下げられて弾性変形し、その後両ハウジング２０，７０が正規深さまで嵌合されると、図１６に示すように、ロックアーム２１が弾性復帰するとともにロック部７６に対して係止し、また両端子金具１０，６０が正規に導通接続される。これにより、両ハウジング２０，７０が嵌合状態から離脱不能に保持される。
【００３５】
ところで、雌側のコネクタの組み付け過程において、リテーナ４０を本係止位置へ押し込む際にその押し込みが不足していて、図１７に示すように、リテーナ４０が本係止位置に達する手前の不完全な装着位置に配される可能性がある。この不完全な装着位置では、抜け止め部４５のキャビティ２２内への進入深さが不足していて雌端子金具１０の係止段部１５や突部１６に対する係止深さ、すなわち抜け止め力が不十分となるおそれがある。その場合には、リテーナ４０の押し込みが不足した分だけ、干渉可能部４９が雌ハウジング２０の下面２０ａから下方へ突出することになる。この状態で両ハウジング２０，７０を嵌合作業を行うと、雌ハウジング２０がフード部７１内に半分程度まで嵌合されたところで、干渉可能部４９の各張出部５６が対応する各凹部７８内に進入する。そして、図１８に示すように、各突き当て面５７が各受け面７９に対して突き当たることで、両ハウジング２０，７０の嵌合動作が規制される。このとき、各突き当て面５７は、各受け面７９に対して面当たりしているのに加えて、各受け面７９が逆テーパ状に形成されていることで、大きな抵抗力が生じるようになっているので、確実に嵌合作業を停止させることができる。これをもって、リテーナ４０が不完全な装着位置であったことが検知される。なお、突き当て面５７と受け面７９とが当接する際には、案内面５０が誘い込み面７７に当接されている。
【００３６】
なお、リテーナ４０の押し込みが上記よりも不足していて干渉可能部４９が凹部７８（誘い込み面７７）の高さ寸法よりも大きく雌ハウジング２０の下面２０ａから下方へ突出していた場合、またはリテーナ４０を本係止位置へ押し込む作業そのものを失念していた場合には、各張出部５６が各凹部７８内に進入する以前に、フード部７１の前端面に対してリテーナ４０の前面が面当たりすることになるので、嵌合動作が確実に規制される。
【００３７】
また、リテーナ４０が不完全な装着位置とされた状態で両ハウジング２０，７０を嵌合する際に、両ハウジング２０，７０の嵌合面が相対的に幅方向について傾いている場合がある。その場合には、各張出部５６及び各突き当て面５７が、対応する各凹部７８及び各受け面７９に対して幅方向に位置ずれするおそれがある。そのような場合でも、各凹部７８及び各受け面７９は、各張出部５６及び各突き当て面５７よりも幅広に形成されているから、各張出部５６及び各突き当て面５７のずれを吸収することができる。従って、各張出部５６を確実に各凹部７８内に進入させて各突き当て面５７を各受け面７９に突き当てることができ、もってリテーナ４０の不完全な装着をより確実に検知することができる。
【００３８】
以上説明したように本実施形態によれば、リテーナ４０の干渉可能部４９に設けた案内面５０の一部に置換して張出部５６及び突き当て面５７を設けるとともに、フード部７１の前端部内周面に周設した誘い込み面７７の一部に置換して凹部７８及び受け面７９を設けるようにしたから、リテーナ４０を雌ハウジング２０に対して不完全な装着位置に装着したまま両ハウジング２０，７０を嵌合しようとした場合、張出部５６が凹部７８内に進入するとともに突き当て面５７が受け面７９に対して面当たりすることで、従来のように誘い込み面に案内面が当接した場合と比較して、大きな抵抗力が生じるようになっている。これにより、両ハウジング２０，７０の嵌合動作を確実に規制することができ、リテーナ４０が不完全な装着位置にあることを確実に検知することができる。
【００３９】
しかも、受け面７９が誘い込み面７７よりも奥側に引っ込んで形成されているから、リテーナ４０が雌ハウジング２０に対して本係止位置に装着された場合に、誘い込み面７７によって雌ハウジング２０及びリテーナ４０を案内する機能が損なわれることがなく、嵌合作業性を良好に保つことができる。
【００４０】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記した実施形態では、受け面を逆テーパ状に形成した場合を示したが、受け面を上下方向に沿って真っ直ぐに形成したり、また僅かにテーパ状をなすように形成してもよい。同様に突き当て面を逆テーパ状またはテーパ状に形成することも可能である。
【００４１】
（２）上記した実施形態では、受け面と誘い込み面の上端の前後位置が揃えられたものを示したが、必ずしも揃える必要はなく、受け面の上端が誘い込み面の上端よりも後方または前方へずれて配されるものも本発明に含まれる。また同様に突き当て面と案内面の上端位置を前後にずらすことも可能である。
（３）また凹部（受け面）を、張出部（突き当て面）とほぼ同じ幅寸法に設定することも可能である。凹部（受け面）と張出部（突き当て面）の数は、３つ以外にも任意に設定することが可能であり、またその配設位置についても任意に設定することが可能である。
（４）上記した実施形態では、誘い込み面をテーパ状に形成した場合を示したが、例えば弧状などの曲面形状としてもよい。同様に案内面をテーパ状などの真っ直ぐな傾斜面として形成してもよい。
【００４２】
（５）上記した実施形態では、リテーナが雄端子金具の挿抜方向に対して斜めに移動するものを示したが、リテーナが雄端子金具の挿抜方向に対して直交する方向に移動するものにも本発明は適用可能である。
（６）上記した実施形態では、上下２段のキャビティを有するコネクタを例示したが、１段や上下３段以上のコネクタにも本発明は適用可能である。なおキャビティを１段としたコネクタでは、リテーナをハウジングに装着しない状態でキャビティ内に端子金具を挿入し、その後リテーナをハウジングに対して正規の装着位置に装着して端子金具を抜け止めすることが可能である。つまり、リテーナの仮係止位置を省略するようにしてもよい。
【図面の簡単な説明】
【図１】本発明の一実施形態に係る雌ハウジングの側面図
【図２】雌ハウジングの背面図
【図３】雌ハウジングの底面図
【図４】リテーナの側断面図
【図５】リテーナの背面図
【図６】リテーナの正面図
【図７】係止突起及び誘導溝のそれぞれ周辺部分を示す斜視図
【図８】雄ハウジングの概略を示す正面図
【図９】（Ａ）誘い込み面、凹部及び受け面を示す拡大斜視図
（Ｂ）案内面、張出部及び突き当て面を示す拡大斜視図
【図１０】雌端子金具とリテーナを仮係止位置に装着した雌ハウジングの側断面図
【図１１】リテーナを仮係止位置に装着した雌ハウジングの一部切欠側面図
【図１２】雌端子金具を挿入した状態を示す側断面図
【図１３】リテーナを本係止位置に配した状態を示す側断面図
【図１４】リテーナを本係止位置に配した状態を示す一部切欠側面図
【図１５】雄ハウジングとリテーナを本係止位置に装着した雌ハウジングの側断面図
【図１６】両ハウジングを嵌合した状態を示す側断面図
【図１７】雄ハウジングとリテーナを不完全な装着位置に装着した雌ハウジングの一部切欠側面図（要部については図６及び図８のＸ−Ｘ線断面図）
【図１８】両ハウジングの嵌合が規制された状態を示す一部切欠側面図（要部については図６及び図８のＸ−Ｘ線断面図）
【符号の説明】
１０…雌端子金具（端子金具）
２０…雌ハウジング（他方のコネクタハウジング）
４０…リテーナ
４５…抜け止め部
４９…干渉可能部
５０…案内面
５７…突き当て面
７０…雄ハウジング（一方のコネクタハウジング）
７１…フード部
７７…誘い込み面
７９…受け面
【図１】
2005005127.tif 000003
【図２】
2005005127.tif 000004
【図３】
2005005127.tif 000005
【図４】
2005005127.tif 000006
【図５】
2005005127.tif 000007
【図６】
2005005127.tif 000008
【図７】
2005005127.tif 000009
【図８】
2005005127.tif 000010
【図９】
2005005127.tif 000011
【図１０】
2005005127.tif 000012
【図１１】
2005005127.tif 000013
【図１２】
2005005127.tif 000014
【図１３】
2005005127.tif 000015
【図１４】
2005005127.tif 000016
【図１５】
2005005127.tif 000017
【図１６】
2005005127.tif 000018
【図１７】
2005005127.tif 000019
【図１８】
2005005127.tif 000020